(57)【要約】      （修正有）【課題】ベランダで作業を行うときの邪魔になることがなく、ベランダの外観を損なうこともない鳥除け装置を提供する。【解決手段】ベランダＡの囲いＢには複数のブラケット１が装着されている。これら複数のブラケット１には複数の釣糸２が装着されており、複数の釣糸２は囲いＢの上方に囲いＢに沿って張巡らされている。この場合、鳩等の鳥が釣糸２に掴まることができなくなる。従って、鳥がベランダＡ内に飛降りるときの足場がなくなるので、ベランダＡ内に侵入することが防止される。しかも、ブラケット１および釣糸２がベランダＡの囲いＢから出張る程度であるので、鳥除け装置がベランダＡで作業を行うときの邪魔になること・鳥除け装置の影響でベランダＡの外観が悪化することが防止される。釣糸２の両端にウエイト３０を巻き付けて緊張させ、風による振動で釣糸２が発生する音波の影響で鳩等の鳥が囲いＢに近寄り難くなり、鳥除け効果が高まる。【選択図】  図１
2005013141.tif 000002
【特許請求の範囲】
【請求項１】
囲いに装着される複数のブラケットと、
前記複数のブラケットに装着され、前記囲いの上方に前記囲いに沿って張られる線材と
を備えたことを特徴とする鳥除け装置。
【請求項２】
線材を緊張状態に拘束する張力付与器を備えたことを特徴とする請求項１記載の鳥除け装置。
【請求項３】
前記ブラケットは、相手側に対して相対的に移動可能に設けられた第１の挟持部材および第２の挟持部材を有し、第１の挟持部材および第２の挟持部材間で前記囲いを挟持することに基いて前記囲いに装着されることを特徴とする請求項１〜２のいずれかに記載の鳥除け装置。
【請求項４】
第１の挟持部材は、ベース部材に移動不能に固定された固定部材からなり、
第２の挟持部材は、前記ベース部材の長孔内にスライド可能に挿入されたオネジ部材およびオネジ部材に螺合されたメネジ部材からなり、
前記オネジ部材および前記メネジ部材は、前記ベース部材を介して相手側に締結されることに基いて前記ベース部材に移動不能に固定されることを特徴とする請求項３記載の鳥除け装置。
【発明の詳細な説明】
【０００１】
【発明の属する技術分野】
本発明は、ベランダ等の住空間に鳥が飛来することを防止する鳥除け装置に関する。
【０００２】
【発明が解決しようとする課題】
従来ではベランダにネットを張り、鳥がベランダ内に飛来することをネットによって防止していた。このため、洗濯物を干す等の作業をベランダで行うときにネットが邪魔になったり、ネットの影響で外観が低下する虞れがあった。
本発明は上記事情に鑑みてなされたものであり、その目的は、ベランダで作業を行うときの邪魔になることがなく、ベランダの外観を損なうこともない鳥除け装置を提供することにある。
【０００３】
【課題を解決するための手段】
＜請求項１に係る発明について＞
請求項１に係る発明は鳩等の鳥が囲いを足場として飛降りる習性に着目したものであり、鳥の侵入を足場の廃止によって防止するものである。具体的には鳥の足場を線材に制限し、鳥が足場に掴まり難くするものである。以下、請求項１に記載された用語の意義について説明する。
▲１▼囲い：鳥の侵入を望まないベランダや庭等の内部空間と外部空間とを分ける仕切り部材を称する用語であり、例えば壁・柵・塀が囲いに該当する。この囲いは形状に限定されるものではなく、例えばコ字状であっても良く、直状であっても良い。
▲２▼ブラケット：線材を保持する支持部材を称する用語である。このブラケットは囲いの複数箇所に装着されるものであり、屋外で使用する都合から防食性に優れていることが好ましい。
▲３▼線材：複数のブラケットに装着されることに基いて囲いの上方に囲いに沿って張られるものである。この線材は鳩等の鳥が掴まることができない程度に細いことが要件であり、直径寸法が「２ｍｍ」以下であることが好ましい。この線材としては透明な樹脂糸が腐食性および視覚性の点で適しており、透明な樹脂糸としては釣糸を用いることが好ましい。
請求項１に係る発明によれば、鳩等の鳥が線材に掴まることができなくなる。このため、鳥がベランダ等に飛降りるときの足場がなくなるので、ベランダ内に侵入することが防止される。この鳥除け装置をベランダで使用するときにはブラケットおよび線材がベランダの囲いから出張る程度であるので、鳥除け装置がベランダで作業を行うときの邪魔になること・鳥除け装置の影響でベランダの外観が悪化することが防止される。
【０００４】
＜請求項２に係る発明について＞
請求項２に係る発明は張力付与器を設けたところに特徴を有する。この張力付与器は線材を緊張状態に保持するものであり、例えば線材の両端部に錘部材を巻付けることで構成すると良い。
請求項２に係る発明によれば、線材が風で振動し、線材から音波が発生するようになる。このため、鳥が音波の影響で囲いに近寄り難くなるので、鳥除け効果が高まる。
【０００５】
＜請求項３に係る発明について＞
請求項３に係る発明は相手側に対して相対的に移動可能な第１の挟持部材および第２の挟持部材を設け、第１の挟持部材および第２の挟持部材間で囲いを挟持するものである。これら第１の挟持部材および第２の挟持部材はブラケットの構成部品であり、ブラケットは第１の挟持部材および第２の挟持部材間の挟持力で囲いに装着される。
請求項３に係る発明によれば、第１の挟持部材を第２の挟持部材に対して相対的に移動操作し、第１の挟持部材および第２の挟持部材間で囲いを挟持することでブラケットが囲いに装着される。このため、ブラケットを囲いの厚さ寸法に影響されることなく使用することが可能になる。
【０００６】
＜請求項４に係る発明について＞
請求項４に係る発明は第２の挟持部材をオネジ部材およびメネジ部材に分割したものである。このオネジ部材はベース部材の長孔内に挿入されており、第２の挟持部材のスライド操作はオネジ部材およびメネジ部材間の非締結状態で許容され、オネジ部材およびメネジ部材間の締結状態で拘束される。
請求項４に係る発明によれば、オネジ部材およびメネジ部材を非締結状態でスライド操作することに基いて第２の挟持部材の位置を合わせ、オネジ部材およびメネジ部材間を締結することで第２の挟持部材を位置合わせ状態に固定できる。このため、ネジを床面から拾い上げて第２の挟持部材に螺合する面倒な固定作業が不要になるので、ブラケットの組付作業性が向上する。
【０００７】
【発明の実施の形態】
本発明の一実施例を図面に基いて説明する。
鳥除け装置は建物のベランダＡ内に鳩および燕等の鳥が飛来することを防止するものであり、複数個のブラケット１と複数本の釣糸２とから構成されている。前者の各ブラケット１は、図５に示すように、ベランダＡの囲いＢに４箇所で着脱可能に装着されるものであり、各釣糸２は複数個のブラケット１に装着されることに基いて囲いＢの上方に囲いＢに沿って張巡らされる。
【０００８】
鳩および燕等の鳥はベランダＡ内に直接的に飛降りることはなく、囲いＢの上端部に停まった後に囲いＢの上端部を足場としてベランダＡ内に飛降りる。鳥除け装置は鳥の足場を挙動の自由度が高くて細い釣糸２に制限し、鳥が足場に掴まり難くするものであり、鳥の足場を実質的に無くすことで鳥がベランダＡ内に侵入することを防止する。以下、鳥除け装置の詳細構成について説明する。
【０００９】
＜ブラケット１について＞
囲いＢの上端部には、図１に示すように、平板状のベースバー１１が載置されている。このベースバー１１はアルミニウムを材料に形成されたものであり、ベースバー１１には、図２に示すように、前端部に位置してネジ孔１２が形成され、前端部および後端部の残余部分に位置して長孔１３が形成されている。尚、ベースバー１１はベース部材に相当するものである。
【００１０】
ベースバー１１の前端面には、図１に示すように、平板状をなすアルミニウム製のフロントバー１４が着脱可能に固定されている。このフロントバー１４は前方からフロントバー１４の貫通孔１５（図３参照）を通してベースバー１１のネジ孔１２内にネジ１６を締込むことに基いて着脱可能にされたものであり、フロントバー１４の上端部には、図３に示すように、上面が開口する前糸通し溝１７が形成されている。また、フロントバー１４の上端部および下端部には前面が開口する上糸通し溝１８および下糸通し溝１９が形成されている。これら上糸通し溝１８および下糸通し溝１９は前方へ向うに従って上昇する傾斜状をなすものであり、フロントバー１４の後面には上糸通し溝１８および下糸通し溝１９間に位置して円弧状の凹部２０が形成されている。尚、フロントバー１４は第１の挟持部材および固定部材に相当するものである。
【００１１】
ベースバー１１の長孔１３内には、図１に示すように、円柱状をなすボルトバー２１のオネジ部２２が挿入されている。このボルトバー２１はアルミニウムを材料に形成されたものであり、図４の（ａ）に示すように、オネジ部２２および頭部２３を有している。このボルトバー２１はフロントバー１４に比べて高さ寸法が小さく設定されたものであり、ボルトバー２１の頭部２３には上面が開口する後糸通し溝２４が形成されている。尚、ボルトバー２１はオネジ部材に相当するものである。
【００１２】
ボルトバー２１のオネジ部２２には、図１に示すように、平板状をなすナットバー２５のメネジ部２６が螺合されており、ボルトバー２１およびナットバー２５はオネジ部２２およびメネジ部２６間の締結力でベースバー１１に移動不能に固定されている。この状態ではフロントバー１４およびナットバー２５が囲いＢに接触し、ブラケット１がフロントバー１４およびナットバー２５間の挟持力で移動不能に仮固定されている。このナットバー２５には、図４の（ｂ）に示すように、ネジ孔２７が形成されており、ネジ孔２７内には、図１に示すように、後方からネジ部材および固定部材に相当する蝶ネジ２８が螺合されている。この蝶ネジ２８は囲いＢの後面に締結されており、ブラケット１は蝶ネジ２８の締結力で囲いＢに固定されている。尚、ナットバー２５はメネジ部材に相当するものであり、図１の符合２９はボルトバー２１およびナットバー２５から構成されるリアバー（第２の挟持部材に相当する）を示している。
【００１３】
＜釣糸２について＞
４個のブラケット１には無色透明な３本の釣糸２が固定されている。これら３本の釣糸２は４個の前糸通し溝１７内・４個の上糸通し溝１８内・４個の後糸通し溝２４内に挿入されることに基いて囲いＢの上方に囲いＢに沿って張巡らされたものであり、各釣糸２の端部には、図１に示すように、円柱状をなすアルミニウム製のウェイト３０が固定されている。これら各ウェイト３０はベランダＡ内に載置されており、各釣糸２は両端部のウェイト３０の荷重で緊張状態に保持されている。これら各ウェイト３０には、図４の（ｃ）に示すように、三角形状に切欠かれた溝部３１が形成されており、釣糸２は溝部３１に巻付けられることに基いて脱落防止されている。尚、釣糸２は線材に相当するものである。また、ウェイト３０は張力付与器に相当するものである。
【００１４】
次に鳥除け装置の組立手順について説明する。
▲１▼  フロントバー１４の貫通孔１５を通してベースバー１１のネジ孔１２内にネジ１６を締込み、フロントバー１４をベースバー１１に固定する。
▲２▼ベースバー１１の長孔１３内にボルトバー２１のオネジ部２２を挿入し、ボルトバー２１のオネジ部２２にナットバー２５のメネジ部２６を螺合する。このとき、ボルトバー２１およびナットバー２５をベースバー１１の長孔１３に沿ってスライド操作できる程度に螺合量を調整し、ボルトバー２１およびナットバー２５間の隙間寸法を囲いＢの厚さ寸法に比べて拡げておく。
【００１５】
▲３▼ベースバー１１を囲いＢの上端部にセットする。そして、ボルトバー２１およびナットバー２５を前方へスライド操作し、フロントバー１４およびナットバー２５を囲いＢの前面および後面に接触させる。この状態でボルトバー２１の頭部２３を回動操作し、ボルトバー２１およびナットバー２５間でベースバー１１を締結することに基いて両者をベースバー１１に移動不能に固定する。
【００１６】
▲４▼ナットバー２５のネジ孔２７内に蝶ネジ２８を螺合する。この蝶ネジ２８を囲いＢの後面に締付け、ブラケット１を囲いＢに移動不能に固定する。
▲５▼４個のブラケット１の前糸通し溝１７内に釣糸２を挿入する。そして、釣糸２の両端部をウェイト３０の溝３１に巻付け、両ウェイト３０をベランダＡ内に載置する。この操作を上糸通し溝１８および後糸通し溝２４に対して行う。
【００１７】
上記実施例によれば次の効果を奏する。
ベランダＡの囲いＢに複数のブラケット１を装着し、複数のブラケット１に複数の釣糸２を装着することに基づいて囲いＢの上方に囲いＢに沿って張巡らしたので、鳩等の鳥が釣糸２に掴まることができなくなる。このため、鳥がベランダＡ内に飛降りるときの足場がなくなるので、ベランダＡ内に侵入することが防止される。しかも、ブラケット１および釣糸２がベランダＡの囲いＢから出張る程度であるので、鳥除け装置がベランダＡで作業を行うときの邪魔になること・鳥除け装置の影響でベランダＡの外観が悪化することが防止される。
釣糸２の両端部にウェイト３０を巻付けることで釣糸２を緊張状態に保持したので、釣糸２が風で振動することに基いて釣糸２から音波が発生するようになる。このため、鳩等の鳥が音波の影響で囲いＢに近寄り難くなるので、鳥除け効果が高まる。
【００１８】
リアバー２９をフロントバー１４に対して相対的に移動操作し、フロントバー１４およびリアバー２９間で囲いＢを挟持することによりブラケット１を囲いＢに装着したので、ブラケット１を囲いＢの厚さ寸法に影響されることなく使用することが可能になる。
リアバー２９をボルトバー２１およびナットバー２５に分割したので、リアバー２９を両者の非締結状態でスライド操作することに基いてリアバー２９の位置を合わせ、両者を締結することでリアバー２９を位置合わせ状態に固定できる。このため、ネジを床面から拾い上げてリアバー２９に螺合する面倒な固定作業が不要になるので、ブラケット１の組付作業性が向上する。
【００１９】
上記実施例においては、ブラケット１を壁状の囲いＢに固定したが、これに限定されるものではなく、図６に示すように、手摺Ｃを有する囲いＢに固定しても良い。以下、ブラケット１の手摺Ｃに対する組付手順について説明する。
リアバー２９を前方へスライド操作し、フロントバー１４およびナットバー２５を手摺Ｃに前後方向から接触させる。この状態でボルトバー２１を回動操作し、ボルトバー２１およびナットバー２５間でベースバー１１を締結する。次に、ナットバー２５のネジ孔２７内に蝶ネジ２８を螺合して手摺Ｃに締付け、前糸通し溝１７と上糸通し溝１８と下糸通し溝１９と後糸通し溝２４とに釣糸２を装着する。この場合、フロントバー１４の凹部２０の内面が手摺Ｃに接触し、ブラケット１の手摺Ｃに対する姿勢が安定化される。
【００２０】
上記実施例においては、ブラケット１を壁状の囲いＢに固定したが、これに限定されるものではなく、図７および図８に示すように、柵状の囲いＢに固定しても良い。この囲いＢはベランダＡの出張りＤに固定されたものであり、複数の柱Ｅと複数の柱Ｅの上下端部に固定された角状の手摺Ｆとを有している。この場合、ブラケット１を出張りＤの両端部および上方の手摺Ｆの両端部に固定し、出張りＤの両ブラケット１に対しては前糸通し溝１７と上糸通し溝１８と後糸通し溝２４とに釣糸２を装着し、手摺Ｆの両ブラケット１に対しても前糸通し溝１７と上糸通し溝１８と後糸通し溝２４とに釣糸２を装着する。
【００２１】
上記実施例においては、ベースバー１１・フロントバー１４・ボルトバー２１・ナットバー２５をアルミニウムから構成したが、これに限定されるものではなく、例えば合成樹脂から構成しても良い。
上記実施例においては、線材として無色透明な釣糸２を用いたが、これに限定されるものではなく、例えば有色透明な釣糸・有色半透明な釣糸・不透明な釣糸・ピアノ線・楽器の弦等を用いても良い。
【図面の簡単な説明】
【図１】本発明の一実施例を示す図（ブラケットの囲いに対する装着状態を示す図）
【図２】ベースバーを示す図
【図３】フロントバーを示す図
【図４】（ａ）はボルトバーを示す図、（ｂ）はナットバーを示す図、（ｃ）はウェイトを示す図
【図５】ブラケットの囲いに対する装着位置を示す図
【図６】ブラケットの手摺に対する装着状態を示す図
【図７】ブラケットの柵に対する装着状態を示す図
【図８】ブラケットの柵に対する装着位置を示す図
【符号の説明】
Ｂは囲い、１はブラケット、２は釣糸（線材）、１１はベースバー（ベース部材）、１３は長孔、１４はフロントバー（第１の挟持部材，固定部材）、２１はボルトバー（オネジ部材）、２５はナットバー（メネジ部材）、２９はリアバー（第２の挟持部材）、３０はウェイト（張力付与器）を示している。
【図１】
2005013141.tif 000003
【図２】
2005013141.tif 000004
【図３】
2005013141.tif 000005
【図４】
2005013141.tif 000006
【図５】
2005013141.tif 000007
【図６】
2005013141.tif 000008
【図７】
2005013141.tif 000009
【図８】
2005013141.tif 000010